(57)【要約】【課題】警報表示の視認性を高くする。【解決手段】警報表示装置は、表示部１と、監視対象の設備機器７から情報を受信する設備情報入力部４と、設備情報入力部４が受信した情報を表示部１の監視画面に表示させると共に、受信した情報を解析して、設備機器７に警報が発生したと認識したときに表示部１に警報情報を表示させる情報処理部５と、設備機器７に警報が発生したときに表示部１の近くに人がいるかどうかを判定する表示切替判定部２とを備える。情報処理部５は、表示切替判定部２が表示部１の近くに人がいると判定した場合には監視画面で警報表示を行い、表示部１の近くに人がいないと判定した場合には表示部１の画面を監視画面から画面全体を使用して警報通知のみを行う警報通知画面に切り替えて警報表示を行う。【選択図】  図１
2010009463.tif 000002
【特許請求の範囲】
【請求項１】
監視対象の機器から受信した情報を監視画面に表示すると共に前記監視対象の機器に警報が発生したときに警報表示を行う警報表示装置において、
情報の表示手段と、
監視対象の機器から情報を受信する情報入力手段と、
この情報入力手段が受信した情報を前記表示手段の監視画面に表示させると共に、前記受信した情報を解析して、前記監視対象の機器に警報が発生したと認識したときに前記表示手段に警報情報を表示させる情報処理手段と、
前記監視対象の機器に警報が発生したときに前記表示手段の近くに人がいるかどうかを判定する判定手段とを備え、
前記情報処理手段は、前記判定手段が前記表示手段の近くに人がいると判定した場合には前記監視画面で警報表示を行い、前記表示手段の近くに人がいないと判定した場合には前記表示手段の画面を前記監視画面から画面全体を使用して警報通知のみを行う警報通知画面に切り替えて警報表示を行うことを特徴とする警報表示装置。
【請求項２】
請求項１記載の警報表示装置において、
前記情報処理手段は、前記情報入力手段が受信した情報を解析して警報の種別と重要度を判定し、前記警報通知画面に表示を行う際に前記警報の種別と重要度のうち少なくとも一方に応じた表示色で警報を表すことを特徴とする警報表示装置。
【請求項３】
請求項１記載の警報表示装置において、
前記情報処理手段は、前記情報入力手段が受信した情報を解析して警報の種別と重要度を判定し、前記警報通知画面に表示を行う際に前記警報の種別と重要度のうち少なくとも一方に応じた表示パターンで警報を表すことを特徴とする警報表示装置。
【請求項４】
請求項１記載の警報表示装置において、
前記情報処理手段は、前記情報入力手段が受信した情報を解析して警報の種別と重要度を判定し、前記警報通知画面に表示を行う際に前記警報の種別と重要度のうち少なくとも一方に応じた画像で警報を表すことを特徴とする警報表示装置。
【請求項５】
請求項２乃至４のいずれか１項に記載の警報表示装置において、
前記情報処理手段は、警報をフリッカ表示することを特徴とする警報表示装置。
【請求項６】
請求項１乃至５のいずれか１項に記載の警報表示装置において、
前記情報処理手段は、前記監視画面から前記警報通知画面に切り替えた後に、人による警報確認操作があったとき、または前記判定手段が前記表示手段の近くに人の存在を検知したときに、前記警報通知画面から前記監視画面に切り替えることを特徴とする警報表示装置。
【請求項７】
監視対象の機器から受信した情報を監視画面に表示すると共に前記監視対象の機器に警報が発生したときに警報表示を行う警報表示方法において、
監視対象の機器から情報を受信する情報入力手順と、
この情報入力手順で受信した情報を表示手段の監視画面に表示させる情報表示手順と、
前記受信した情報を解析して、前記監視対象の機器に警報が発生したと認識したときに前記表示手段の近くに人がいるかどうかを判定する判定手順と、
前記判定手順で前記表示手段の近くに人がいると判定した場合には前記監視画面で警報表示を行い、前記表示手段の近くに人がいないと判定した場合には前記表示手段の画面を前記監視画面から画面全体を使用して警報通知のみを行う警報通知画面に切り替えて警報表示を行う表示切替手順とを備えることを特徴とする警報表示方法。
【発明の詳細な説明】
【技術分野】
【０００１】
本発明は、監視対象の機器から受信した情報を監視画面に表示すると共に監視対象の機器に警報が発生したときに警報表示を行う警報表示装置および警報表示方法に関するものである。
【背景技術】
【０００２】
従来、ビル管理装置等の警報表示装置においては、設備機器から出力される状態変化や異常状態の解析結果を基に、種別や優先度が付与された警報信号を発生させ、この警報信号に応じた情報の表示位置あるいは表示領域を上記の種別および優先度に応じて変化させて表示するようにしていた（例えば特許文献１参照）。
【０００３】
【特許文献１】特開平７−３３４７７５号公報
【発明の開示】
【発明が解決しようとする課題】
【０００４】
以上のように、特許文献１に開示された警報表示装置では、表示位置や表示領域で異常の種別や優先度を表現しているが、オペレータが表示装置から離れると、警報表示を視覚的に認識しづらいという問題点があった。特に、近年は警報表示装置の表示デバイスとしてＬＥＤやランプのような発光素子を使用せず、ＣＲＴや液晶ディスプレイを使用することが多くなってきた。しかし、表示デバイスとしてＣＲＴや液晶ディスプレイを使用する場合、発光素子を使用する場合に比べて、オペレータが警報表示装置から離れたときの警報表示の視認性が低くなってしまう。
【０００５】
視認性の高い警報表示を行う方法として、ＬＥＤなどの発光素子やブザーを用いる方法もあるが、上記のとおり近年は表示デバイスとしてＣＲＴや液晶ディスプレイを使用することが一般的になってきており、発光素子やブザーを新たに設けると、装置のコストが上昇してしまうという問題点があった。
【０００６】
本発明は、上記課題を解決するためになされたもので、ＣＲＴや液晶ディスプレイなどの表示デバイスを使用する場合でも、警報表示の視認性を高くすることができる警報表示装置および警報表示方法を提供することを目的とする。
【課題を解決するための手段】
【０００７】
本発明は、監視対象の機器から受信した情報を監視画面に表示すると共に前記監視対象の機器に警報が発生したときに警報表示を行う警報表示装置において、情報の表示手段と、監視対象の機器から情報を受信する情報入力手段と、この情報入力手段が受信した情報を前記表示手段の監視画面に表示させると共に、前記受信した情報を解析して、前記監視対象の機器に警報が発生したと認識したときに前記表示手段に警報情報を表示させる情報処理手段と、前記監視対象の機器に警報が発生したときに前記表示手段の近くに人がいるかどうかを判定する判定手段とを備え、前記情報処理手段は、前記判定手段が前記表示手段の近くに人がいると判定した場合には前記監視画面で警報表示を行い、前記表示手段の近くに人がいないと判定した場合には前記表示手段の画面を前記監視画面から画面全体を使用して警報通知のみを行う警報通知画面に切り替えて警報表示を行うことを特徴とするものである。
【０００８】
また、本発明の警報表示装置の１構成例において、前記情報処理手段は、前記情報入力手段が受信した情報を解析して警報の種別と重要度を判定し、前記警報通知画面に表示を行う際に前記警報の種別と重要度のうち少なくとも一方に応じた表示色で警報を表すことを特徴とするものである。
また、本発明の警報表示装置の１構成例において、前記情報処理手段は、前記情報入力手段が受信した情報を解析して警報の種別と重要度を判定し、前記警報通知画面に表示を行う際に前記警報の種別と重要度のうち少なくとも一方に応じた表示パターンで警報を表すことを特徴とするものである。
また、本発明の警報表示装置の１構成例において、前記情報処理手段は、前記情報入力手段が受信した情報を解析して警報の種別と重要度を判定し、前記警報通知画面に表示を行う際に前記警報の種別と重要度のうち少なくとも一方に応じた画像で警報を表すことを特徴とするものである。
また、本発明の警報表示装置の１構成例において、前記情報処理手段は、警報をフリッカ表示することを特徴とするものである。
また、本発明の警報表示装置の１構成例において、前記情報処理手段は、前記監視画面から前記警報通知画面に切り替えた後に、人による警報確認操作があったとき、または前記判定手段が前記表示手段の近くに人の存在を検知したときに、前記警報通知画面から前記監視画面に切り替えることを特徴とするものである。
【０００９】
また、本発明の警報表示方法は、監視対象の機器から情報を受信する情報入力手順と、この情報入力手順で受信した情報を表示手段の監視画面に表示させる情報表示手順と、前記受信した情報を解析して、前記監視対象の機器に警報が発生したと認識したときに前記表示手段の近くに人がいるかどうかを判定する判定手順と、前記判定手順で前記表示手段の近くに人がいると判定した場合には前記監視画面で警報表示を行い、前記表示手段の近くに人がいないと判定した場合には前記表示手段の画面を前記監視画面から画面全体を使用して警報通知のみを行う警報通知画面に切り替えて警報表示を行う表示切替手順とを備えることを特徴とするものである。
【発明の効果】
【００１０】
本発明によれば、表示手段の近くに人がいないと判定した場合には表示手段の画面を監視画面から画面全体を使用して警報通知のみを行う警報通知画面に切り替えて警報表示を行うことにより、ＣＲＴや液晶ディスプレイなどを使用する場合であっても、効果的に警報表示を行うことができる。これにより、オペレータが表示手段から離れた場所にいても警報の発生を認識できるようになる。また、本発明では、ＬＥＤなどの発光素子やブザーを用いることなく、警報表示の視認性を高くすることができる。
【００１１】
また、本発明では、情報入力手段が受信した情報を解析して警報の種別と重要度を判定し、警報通知画面に表示を行う際に警報の種別と重要度のうち少なくとも一方に応じた表示色で警報を表すことにより、オペレータは表示色によって警報の重要度を識別したり、警報の種別を特定したりすることが可能となる。
【００１２】
また、本発明では、情報入力手段が受信した情報を解析して警報の種別と重要度を判定し、警報通知画面に表示を行う際に警報の種別と重要度のうち少なくとも一方に応じた表示パターンで警報を表すことにより、オペレータは表示パターンによって警報の重要度を識別したり、警報の種別を特定したりすることが可能となる。
【００１３】
また、本発明では、情報入力手段が受信した情報を解析して警報の種別と重要度を判定し、警報通知画面に表示を行う際に警報の種別と重要度のうち少なくとも一方に応じた画像で警報を表すことにより、オペレータは表示画像によって警報の重要度を識別したり、警報の種別を特定したりすることが可能となる。
【発明を実施するための最良の形態】
【００１４】
以下、本発明の実施の形態について図面を参照して説明する。図１は本発明の実施の形態に係る警報表示装置の構成を示すブロック図である。
警報表示装置は、表示部１と、表示切替判定部２と、操作入力部３と、設備情報入力部４と、情報処理部５と、記憶部６とを備えている。
【００１５】
表示部１は、ＣＲＴや液晶ディスプレイなどの表示デバイスからなり、監視対象の空調設備、防犯設備、照明設備、防災設備等の設備機器７の状態情報や警報情報などの各種情報を表示する。
表示切替判定部２は、表示部１の近くに人がいるかどうかを判定し、近くに人がいる場合には表示部１に通常の監視画面を表示させ、近くに人がいない場合には表示部１に警報通知画面を表示させる。表示切替判定部２は、操作入力部３からの入力が一定時間（例えば１５分間）以上なかった場合に、表示部１の近くに人がいないと判定する。また、表示切替判定部２は、人感センサー（不図示）を用いて、表示部１の近くに人がいるかどうかを判定してもよい。人感センサーは、例えば赤外線、超音波、可視光などを用いて人の存在を検知するものである。
【００１６】
操作入力部３は、タッチパネル、キーボード、マウス等の入力デバイスと、その制御部とからなり、人の操作に応じた操作情報を出力する。
設備情報入力部４は、設備機器７と接続される入出力インターフェースと、その制御部とからなり、設備機器７から状態情報や警報情報を受け取り、これらの情報を情報処理部５へ出力する。
【００１７】
情報処理部５は、操作入力部３から入力された操作情報や、設備情報入力部４から入力された状態情報、警報情報を解析し、必要な処理を行って、情報を表示部１に適宜表示させる。
記憶部６は、各種情報を記憶する。記憶部６が記憶する情報としては、設備機器７の状態情報や警報情報、オペレータによって設定された情報がある。オペレータによって設定された情報としては，表示形式や表示内容のデータなどがある。
【００１８】
以下、本実施の形態の警報表示装置の動作を説明する。図２は警報表示装置の動作を示すフローチャートである。
警報表示装置の情報処理部５は、設備情報入力部４を介して設備機器７から情報を受信すると（図２ステップＳ１においてＹＥＳ）、受信した情報が警報情報かどうかを判定する（ステップＳ２）。
【００１９】
情報処理部５は、受信した情報が警報情報でなく、状態情報である場合、この状態情報を解析して表示部１に表示させる（ステップＳ３）。初期状態では、表示部１の画面は通常の監視画面の形式に設定されている。そこで、情報処理部５は、監視画面の表示形式データを記憶部６から取得し、取得した監視画面の形式で表示部１に状態情報を表示させる。
【００２０】
図３は表示部１に表示される監視画面の１例を示す図である。監視画面３０は、警報表示領域３１と設備情報表示領域３２とに分割されている。警報が発生した場合には、警報表示領域３１に警報の名称等が表示される。設備情報表示領域３２は、さらに複数の領域に分かれている。各領域には、例えばフロアごとの設備機器の状態情報や、状態情報のトレンドグラフなどが表示される。
【００２１】
情報処理部５は、設備機器７から受信した情報が警報情報である場合（図２ステップＳ２においてＹＥＳ）、この警報情報を解析して警報の種別や重要度などを判定する。なお、警報の種別には、警報が発生した場所の情報も含まれる。
そして、表示切替判定部２は、情報処理部５が受信した情報が警報情報である場合、表示部１の近くに人がいるかどうかを判定する（ステップＳ４）。表示切替判定部２は、表示部１の近くに人がいると判定した場合、情報処理部５に対して通常の監視画面３０で警報通知を行うように指示する。この指示に応じて、情報処理部５は、警報情報の解析によって取得した警報の名称等を監視画面３０の警報表示領域３１に表示させ、警報通知を行う（ステップＳ５）。
【００２２】
また、表示切替判定部２は、表示部１の近くに人がいないと判定した場合、情報処理部５に対して監視画面３０から警報通知画面に切り替えて警報通知を行うように指示する。この指示に応じて、情報処理部５は、警報通知画面の表示形式データを記憶部６から取得し、取得した警報通知画面の形式で表示部１に警報情報を表示させる（ステップＳ６）。
【００２３】
図４は表示部１に表示される警報通知画面の１例を示す図である。警報通知画面４０には、情報処理部５が警報情報の解析によって取得した警報の名称等が表示されるが、同時に画面全体が所定の表示色（例えば赤色）になる。これにより、オペレータが表示部１から離れていたとしても、オペレータは警報が発生したことを認識できる。また、例えば２色を交互に表示させることで、フリッカ表示を行ってもよい。
【００２４】
また、情報処理部５は、警報の種別と重要度のうち少なくとも一方に応じて警報通知画面４０の表示色を変更するようにしてもよい。これにより、オペレータは、表示色によって警報の重要度を識別したり、警報の種別を特定したりすることが可能となる。さらに、情報処理部５は、警報の種別と重要度のうち少なくとも一方に応じて、オペレータがあらかじめ設定した画像を記憶部６から取得し、この画像を警報通知画面４０に表示させるようにしてもよい。これにより、オペレータは、表示画像によって警報の重要度を識別したり、警報の種別を特定したりすることが可能となる。また、画像をフリッカ表示してもよい。
【００２５】
図５は表示部１に表示される警報通知画面の他の例を示す図である。警報通知画面５０には、情報処理部５が警報情報の解析によって取得した警報の名称等が表示されるが、同時に画面が分割され、分割された領域５１〜５４のうちの少なくとも一部が異なる色で表示される。これにより、オペレータが表示部１から離れていたとしても、オペレータは警報が発生したことを認識できる。また、図４の場合と同様に、フリッカ表示を行ってもよい。
【００２６】
また、情報処理部５は、警報の種別と重要度のうち少なくとも一方に応じて、警報通知画面５０の表示色を変更したり、表示パターン（分割パターンと色のパターン）を変更したりするようにしてもよい。これにより、オペレータは、表示色や表示パターンによって警報の重要度を識別したり、警報の種別を特定したりすることが可能となる。
【００２７】
図６は表示部１に表示される警報通知画面の他の例を示す図である。図４の例では、画面全体を所定の表示色にしたが、図６の警報通知画面６０では、領域６１においてのみ図４と同様の警報表示を行い、それ以外の領域６２については黒色のような輝度の低い色で表示することにより、領域６１と領域６２の輝度の差（コントラスト）を高めることができる。図４の場合と同様に、領域６１においてフリッカ表示を行ってもよい。また、図４の場合と同様に、情報処理部５は、警報の種別と重要度のうち少なくとも一方に応じて、領域６１の表示色を変更したり、あらかじめ設定された画像を領域６１に表示したりしてもよい。
【００２８】
次に、情報処理部５は、オペレータが操作入力部３を操作することにより、操作入力部３から警報通知を確認したことを示す操作情報が入力された場合（図２ステップＳ７においてＹＥＳ）、警報通知画面から通常の監視画面に戻す（ステップＳ８）。
なお、表示切替判定部２が人感センサーを用いる場合には、監視画面から警報通知画面に切り替えた後に、表示切替判定部２が表示部１の近くに人の存在を検知した時点で情報処理部５に指示し、警報通知画面から監視画面に切り替えさせるようにしてもよい。
【００２９】
以上説明したように、本実施の形態では、表示部１の近くに人がいないと判定した場合には表示部１の画面を監視画面から画面全体を使用して警報通知のみを行う警報通知画面に切り替えて警報表示を行うことにより、ＣＲＴや液晶ディスプレイなどを使用する場合であっても、効果的に警報表示を行うことができる。これにより、オペレータが表示部１から離れた場所にいても警報の発生を認識できるようになる。また、本実施の形態では、ＬＥＤなどの発光素子やブザーを用いることなく、警報表示の視認性を高くすることができる。
【００３０】
なお、本実施の形態の警報表示装置は、ＣＰＵ、記憶装置および外部とのインタフェースを備えたコンピュータとこれらのハードウェア資源を制御するプログラムによって実現することができる。このようなコンピュータにおいて、ＣＰＵは、記憶装置に格納されたプログラムに従って本実施の形態で説明したような処理を実行する。
【産業上の利用可能性】
【００３１】
本発明は、ＣＲＴや液晶ディスプレイを用いて警報表示を行う技術に適用することができる。
【図面の簡単な説明】
【００３２】
【図１】本発明の実施の形態に係る警報表示装置の構成を示すブロック図である。
【図２】図１の警報表示装置の動作を示すフローチャートである。
【図３】本発明の実施の形態における監視画面の１例を示す図である。
【図４】本発明の実施の形態における警報通知画面の１例を示す図である。
【図５】本発明の実施の形態における警報通知画面の他の例を示す図である。
【図６】本発明の実施の形態における警報通知画面の他の例を示す図である。
【符号の説明】
【００３３】
１…表示部、２…表示切替判定部、３…操作入力部、４…設備情報入力部、５…情報処理部、６…記憶部、７…設備機器、３０…監視画面、４０，５０，６０…警報通知画面。
【図１】
2010009463.tif 000003
【図２】
2010009463.tif 000004
【図３】
2010009463.tif 000005
【図４】
2010009463.tif 000006
【図５】
2010009463.tif 000007
【図６】
2010009463.tif 000008